(57)【要約】【課題】表示窓の外周に沿って配置される枠部材を備えるものでありながら、複数のリールの視認性を向上することが可能な遊技機を提供する。【解決手段】本スロットマシンは、リールを表示する表示窓の外周に沿って配置され、表示窓の前方に前方開口部ＯＰ２が形成されているリール枠部材９０を備えている。このリール枠部材９０には、表示窓５１の左右前方側にそれぞれ配置された左側板９２及び右側板９１を有しており、これら左側板９２及び右側板９１が表示窓５１から前方開口部ＯＰ２までを繋ぐように構成されている。そして、左側板９２及び右側板９１は、表示窓５１の左右方向の幅Ｗ１よりも前方開口部ＯＰ２の左右方向の幅Ｗ２が大きくなるように形成されている。【選択図】図４
2019030438.tif 000002
【特許請求の範囲】
【請求項１】
外周面に複数種類の図柄が配列されている複数のリールと、
前記複数のリールのそれぞれの一部を表示する表示窓と、
前記表示窓の外周に沿って配置され、前記表示窓の前方に開口を形成する枠部材と、を備え、
前記枠部材は、前記表示窓の左右前方側にそれぞれ配置され、前記表示窓から前記開口までを繋ぐ左側面及び右側面を有し、
前記左側面及び前記右側面は、前記表示窓の左右方向の幅よりも前記開口の左右方向の幅が大きくなるように形成されている、
ことを特徴とする遊技機。
【請求項２】
前記左側面及び前記右側面は、前記表示窓の上下方向において前記表示窓と直交する方向に対して前記左右方向へ５度以上傾斜して形成されている、
ことを特徴とする請求項１に記載の遊技機。
【請求項３】
前記左側面及び前記右側面は、前記開口の上下方向の一方の幅より前記開口の上下方向の他方の幅が大きくなるように形成されている、
ことを特徴とする請求項１又は２に記載の遊技機。
【請求項４】
外周面に複数種類の図柄が配列されている複数のリールと、
前記複数のリールのそれぞれの一部を表示する表示窓と、
前記表示窓の外周に沿って配置され、前記表示窓の前方に開口を形成する枠部材と、を備え、
前記枠部材は、前記表示窓の左右前方側にそれぞれ配置され、前記表示窓から前記開口までを繋ぐ左側面及び右側面を有し、
前記左側面及び前記右側面は、前記開口の上下方向の一方の幅より前記開口の上下方向の他方の幅が大きくなるように形成されている、
ことを特徴とする遊技機。
【発明の詳細な説明】
【技術分野】
【０００１】
本発明は、遊技機に関する。
【背景技術】
【０００２】
従来、外周面に図柄が配列された複数のリールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数のリールの回転を開始させ、遊技者の停止操作を契機として、内部抽選の結果に応じた態様で複数のリールを停止させる制御を行っている。そして、遊技の結果は、複数のリールが停止した状態における入賞判定ライン上に表示された図柄組合せによって判定され、遊技の結果に応じてメダル等の払い出しなどが行われる。
【０００３】
上述のような遊技機の中には、複数のリールを視認可能にする表示窓の前方側（遊技者側）に窓枠部材を備えたものがある（例えば特許文献１参照）。この特許文献１に記載のものは、窓枠部材の下方部分を構成する下横枠部に、奥方向に向かって上方に傾斜した傾斜面が形成されている。
【先行技術文献】
【特許文献】
【０００４】
【特許文献１】特開２００４−２６７３１２号公報
【発明の概要】
【発明が解決しようとする課題】
【０００５】
ところで、表示窓の前方側に配置される枠部材は、例えば表示窓に隣接して電飾装置を配置したり、演出用のボタンを配置したりしたときに、前後方向の厚みを揃えた方が良好なデザイン性が得られるため、厚みが厚くなり易い。しかしながら、枠部材の前後方向の厚みが厚いほど、枠部材の開口位置に対して表示窓が奥方向に埋もれた位置となり、例えばホールで遊技する遊技機を選ぶ遊技者や隣接する遊技機で遊技している遊技者からリールの視認性が悪いという問題がある。また、表示窓が枠部材の開口位置に対して奥側になるほど、枠部材に囲まれて視認性が悪く、圧迫感も生じるという問題がある。
【０００６】
そこで本発明は、表示窓の外周に沿って配置される枠部材を備えるものでありながら、複数のリールの視認性を向上することが可能な遊技機を提供することを目的とするものである。
【課題を解決するための手段】
【０００７】
本発明に係る遊技機（１）は、
外周面に複数種類の図柄が配列されている複数のリール（Ｒ１，Ｒ２，Ｒ３）と、
前記複数のリールのそれぞれの一部を表示する表示窓（５１）と、
前記表示窓の外周に沿って配置され、前記表示窓の前方に開口（ＯＰ２）を形成する枠部材（９０）と、を備え、
前記枠部材は、前記表示窓の左右前方側にそれぞれ配置され、前記表示窓から前記開口までを繋ぐ左側面（９２）及び右側面（９１）を有し、
前記左側面及び前記右側面は、前記表示窓の左右方向の幅（Ｗ１）よりも前記開口の左右方向の幅（Ｗ２）が大きくなるように形成されていることを特徴とする。
【０００８】
また本発明に係る遊技機（１）は、
前記左側面及び前記右側面は、前記表示窓の上下方向において前記表示窓と直交する方向に対して前記左右方向へ５度以上傾斜して形成されていることを特徴とする。
【０００９】
さらに本発明に係る遊技機（１）は、
前記左側面及び前記右側面は、前記開口の上下方向の一方の幅（Ｗ３）より前記開口の上下方向の他方の幅（Ｗ４）が大きくなるように形成されていることを特徴とする。
【００１０】
また、本発明に係る遊技機（１）は、
外周面に複数種類の図柄が配列されている複数のリール（Ｒ１，Ｒ２，Ｒ３）と、
前記複数のリールのそれぞれの一部を表示する表示窓（５１）と、
前記表示窓の外周に沿って配置され、前記表示窓の前方に開口（ＯＰ２）を形成する枠部材（９０）と、を備え、
前記枠部材は、前記表示窓の左右前方側にそれぞれ配置され、前記表示窓から前記開口までを繋ぐ左側面（９２）及び右側面（９１）を有し、
前記左側面及び前記右側面は、前記開口の上下方向の一方の幅（Ｗ３）より前記開口の上下方向の他方の幅（Ｗ４）が大きくなるように形成されていることを特徴とする。
【発明の効果】
【００１１】
本発明によると、表示窓の外周に沿って配置される枠部材を備えるものでありながら、枠部材の左側面及び右側面が表示窓の左右方向の幅よりも開口の左右方向の幅が大きくなるように形成されている、或いは開口の上下方向の一方の幅より開口の上下方向の他方の幅が大きくなるように形成されているので、複数のリールの視認性を向上することができる。
【図面の簡単な説明】
【００１２】
【図１】本実施形態に係るスロットマシンを示す全体斜視図。
【図２】本実施形態に係る上扉ユニット示す正面図。
【図３】本実施形態に係る上扉ユニットを示す分解斜視図。
【図４】（Ａ）は本実施形態に係るリール枠部材を示す正面図、（Ｂ）は（Ａ）におけるＢ−Ｂ矢視断面図、（Ｃ）は（Ａ）におけるＣ−Ｃ矢視断面図。
【発明を実施するための形態】
【００１３】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。更に、以下の説明において基本的に「前後」とは、遊技機の前側に遊技者が居る場合に、遊技者側が「前」で、遊技機側が「後」を意味し、「上下」とは遊技機の上面側が「上」で、下面側が「下」を意味し、「左右」とは遊技機を遊技する遊技者の左手側が「左」を意味し、右手側が「右」を意味する。
【００１４】
１．遊技機の全体構成
まず、本発明の実施の形態に係る遊技機としてのスロットマシン１の全体構成について図１に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した筐体１０を備えていると共に、この開口した筐体１０の前面を開閉可能な前扉５０により被覆して構成されている。また、筐体１０の内部には、複数の回転リールとしての第１リールＲ１〜第３リールＲ３を備えたリールユニット３０が収められていると共に、このリールユニット３０の下部には、メダルの払出装置としてのホッパーユニット（不図示）が収められている。
【００１５】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１６】
前扉５０は、上扉ユニット５０Ｕと、下扉ユニット５０Ｌとに上下に分割して構成されており、上扉ユニット５０Ｕは、その中央部から上方部に亘って大型の液晶からなる表示装置５２が設けられていると共に、表示装置５２の下方には、第１リールＲ１〜第３リールＲ３の回転状態及び停止状態を観察可能にする表示窓５１が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。
【００１７】
また、本実施形態のスロットマシン１では、各リールの上段・中段・下段の表示位置の組合せ（例えば中段一列）によって有効ラインＬｆが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬｆが有効化される。
【００１８】
前扉５０の下扉ユニット５０Ｌには、演出用の絵柄などを表示する下パネル５５が設けられていると共に、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３などが設けられている。
【００１９】
更に、下扉ユニット５０Ｌには、遊技者がメダルを投入するメダル投入口５６が設けられており、このメダル投入口５６から投入されたメダルは、下扉ユニット５０Ｌの裏側に設けられたセレクタ（不図示）によってカウントされてホッパーユニットへと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット（不図示）において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、即ちストップボタンＢ１〜ストップボタンＢ３による停止操作が有効化される。
【００２０】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット（不図示）へ出力するリール停止信号をオン状態からオフ状態に変化させる。
【００２１】
そして、主制御基板ユニットは、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２２】
また、主制御基板ユニットは、第１リールＲ１〜第３リールＲ３を停止させた後に、有効ラインＬｆ上に停止している図柄の組合せに応じて、各種処理を実行する。主制御基板ユニットが実行する各種処理としては、例えば、有効ラインＬｆ上に停止している図柄の組合せが複数種類の役のうちメダルの払い出しを伴う小役の図柄組合せである場合、即ち小役が入賞した場合に、入賞した小役に設定されている配当に基づきホッパーユニットからメダルを払い出す払出処理や、有効ラインＬｆ上に停止している図柄の組合せが遊技者にメダルを消費させることなく１回遊技を実行可能にするリプレイの図柄組合せである場合に、今回の遊技における規定投入数のメダルを投入状態に設定するリプレイ処理等がある。
【００２３】
また、下扉ユニット５０Ｌの下部にはメダル受け皿６０が設けられており、遊技の結果に応じた枚数のメダルがメダル払出口からメダル受け皿６０へ払い出されるようになっている。更に、例えば、遊技機内にクレジットされたメダルが記憶されている状態で、精算ボタンが押下された場合、精算ボタンの押下に伴ってホッパーユニットからクレジット数（クレジットされたメダルの枚数）に相当する枚数のメダルを払い出す精算処理を実行し、メダル払出口からメダル受け皿６０へメダルを払い出す。
【００２４】
更に、前扉５０（特に上扉ユニット５０Ｕ）には、遊技を盛り上げるために音響装置（不図示）、電飾装置（特に７５，７６Ｌ，７６Ｒ，７７，８０）、演出用の可動役物（特に７１）、及び上述した表示装置５２などの複数の演出装置が設けられている。具体的には、表示装置５２の前面には、可動役物としてシャッタ装置７１が設けられており、遊技の進行に応じて左右のシャッタ（可動部材）７１Ｌ，７１Ｒを移動（開閉）させて表示装置５２の画面を遮蔽させたり露出させたりすることができるようになっている。
【００２５】
また、電飾装置として、表示装置５２の上方には上部ランプユニット７５が設けられていると共に、表示装置５２の左右側方には、サイドランプユニット７６Ｌ，７６Ｒが設けられている。更に、リールユニット３０の図柄を観察する表示窓５１の左右側方には、演出用の図柄を発光させる電飾装置であるランプ装置７７及び演出時に遊技者が操作可能なプッシュボタンＳＢが設けられている。また、表示装置５２とリールユニット３０の図柄を観察する表示窓５１との間には、電飾装置であるナビランプユニット８０が設けられている。これらの電飾装置である上部ランプユニット７５及びサイドランプユニット７６Ｌ，７６Ｒ及びナビランプユニット８０は、遊技に合わせて点灯して演出用の照明装置として機能したり、遊技に係る情報を遊技者に報知する報知装置として機能したりする。そして、ランプ装置７７、プッシュボタンＳＢ、ナビランプユニット８０を覆い、かつ表示窓５１を囲うように、以下に説明するリール枠部材９０が配置されている。
【００２６】
２．リール枠部材の詳細
続いて、本実施形態のスロットマシン１におけるリール枠部材の詳細について図２乃至図４を用いて説明する。図２は本実施形態に係る上扉ユニット示す正面図、図３は本実施形態に係る上扉ユニットを示す分解斜視図、図４（Ａ）は本実施形態に係るリール枠部材を示す正面図、図４（Ｂ）は（Ａ）におけるＢ−Ｂ矢視断面図、図４（Ｃ）は（Ａ）におけるＣ−Ｃ矢視断面図である。
【００２７】
図２に示すように、上扉ユニット５０Ｕには、一般的な遊技者の目の高さとして設定される設計上の視線高さＵＳに表示装置５２が配置されており、その表示装置５２の下方には、第１リールＲ１〜第３リールＲ３の一部（それぞれ３コマ）（図１参照）を表示して視認可能にする表示窓５１が配置されている。そして、その表示窓５１を形成すると共に表示窓５１の周囲を囲むリール枠部材９０が配置されている。即ち、リール枠部材９０は、図３に示すように、上記プッシュボタンＳＢ、リールユニット３０（図１参照）の前方に配置された透明部材のリールパネル５３、及び上記ランプ装置７７、の前方側からそれらを覆うように配置される。
【００２８】
リール枠部材９０は、大まかに、当該リール枠部材９０の右側部分を構成する枠右方部９６、当該リール枠部材９０の左側部分を構成する枠左方部９７、当該リール枠部材９０の下側部分を構成する枠下方部９８、当該リール枠部材９０の上側部分を構成する枠上方部９９、を有しており、これらに上下左右が囲まれる形で表示窓５１の前方で開口する前方開口部ＯＰ２が形成されている。このうちの枠右方部９６には、プッシュボタンＳＢが貫通して配置される貫通孔９６ａが形成されており、枠左方部９７には、ランプ装置７７が貫通して配置される貫通孔９７ａが形成されている。なお、プッシュボタンＳＢは、枠右方部９６の前面よりも突出するように配置されて、プッシュボタンＳＢを押下し易いように構成されており、ランプ装置７７の前面と枠左方部９７の前面は略同一平面上になるように配置されて、スロットマシン１のデザイン性が良好となるように構成されている。
【００２９】
また、リール枠部材９０には、枠右方部９６の端部で前方開口部ＯＰ２を形成する部分から後方側に向けて延設された右側板（右側面）９１、枠左方部９７の端部で前方開口部ＯＰ２を形成する部分から後方側に向けて延設された左側板（左側面）９２、枠下方部９８の端部で前方開口部ＯＰ２を形成する部分から後方側に向けて延設された下側板９４、枠上方部９９の端部で前方開口部ＯＰ２を形成する部分から後方側に向けて延設された上側板９３、の４つの側板を有しており、これら４つの側板によって第１リールＲ１〜第３リールＲ３（図１参照）を視認可能にする貫通孔を構成している。そして、右側板９１、左側板９２、上側板９３、下側板９４のそれぞれの後方の端部によって後方開口部ＯＰ１が形成されている。
【００３０】
この後方開口部ＯＰ１は、リール枠部材９０が上扉ユニット５０Ｕとして組立てられた状態で、上記リールユニット３０の前方に配置されたリールパネル５３に当接しており（図１及び図３参照）、リールパネル５３における後方開口部ＯＰ１に対応する領域が第１リールＲ１〜第３リールＲ３（図１参照）を視認可能にする表示窓５１を構成していることになる。そして、表示窓５１の左右前方側に右側板９１及び左側板９２が、表示窓５１の上下前方に上側板９３及び下側板９４が配置されていることになり、換言すると、右側板９１、左側板９２、上側板９３、下側板９４のそれぞれは、表示窓５１から前方開口部ＯＰ２までを繋ぐように構成されていることになる。
【００３１】
次に、リールパネル５３及びリール枠部材９０の各部における立体的な傾斜角度について図４を用いて説明する。まず、図３及び図４（Ｃ）に示すように、リールパネル５３（即ち後方開口部ＯＰ１や表示窓５１も）は、上方に向くように（前側が下方にかつ後側が上方となるように）傾斜して配置されている。即ち、図４（Ｃ）に示すように、上扉ユニット５０Ｕの前面は表示装置５２の前面に代表されるように（図１参照）、上下方向に垂直な仮想面ＶＳ５に沿う形で構成されており、リールパネル５３及び後方開口部ＯＰ１は、仮想面ＶＳ５に対して傾斜角θ７（例えば２３度）に傾斜した仮想面ＶＳ９に沿って（平行に）配置されている。即ち、上述したように設計上の視線高さＵＳ（図２参照）が上方にあって、第１リールＲ１〜第３リールＲ３（図１参照）を視認する際に遊技者の視線が下方になるため、遊技者の視線に対してなるべく直交するようにリールパネル５３が傾斜して配置されることで、第１リールＲ１〜第３リールＲ３の視認性の向上が図られている。また、リールパネル５３が傾斜して配置されることで、遊技者の視線方向から視て、リールパネル５３が第１リールＲ１〜第３リールＲ３の外周の接線方向に近づけることができており、リールパネル５３と第１リールＲ１〜第３リールＲ３の外周とが近接配置できるので、第１リールＲ１〜第３リールＲ３の視認性の向上が図られている。
【００３２】
上記リール枠部材９０の下側板９４は、図４（Ｃ）に示すように、前後方向に略々水平に形成されている。なお、本実施形態において、下側板９４は後方側が上方となる段差状に形成されているが、これは下扉ユニット５０Ｌ（図１参照）の上方端部が嵌合するように構成されているためである（図１参照）。
【００３３】
上記リール枠部材９０の上側板９３は、図４（Ｃ）に示すように、前方が上方にかつ後方が下方となるように形成して配置されており、リールパネル５３に沿った仮想面ＶＳ９に対して略々直交する仮想面ＶＳ１０に沿う形で傾斜されている。なお、仮想面ＶＳ９と仮想面ＶＳ１０との傾斜角θ８は例えば９３度に設定されている。これにより、遊技者の視線が表示窓５１の上端の近くまで届き、つまり遊技者は表示窓５１の全体が容易に視認できるように構成されている。また、上述したように下側板９４が前後方向に略々水平に形成されているため、上側板９３と下側板９４との関係は、前方に向かって拡がる関係となっている。
【００３４】
一方、図４（Ｂ）に示すように、上記リール枠部材９０の枠右方部９６の前面は、上記上下方向に垂直な仮想面ＶＳ５に対して、傾斜角θ３（例えば５度）で左側が後方にかつ右側が前方に傾斜する仮想面ＶＳ６に沿う形で構成されている。さらに、上記リール枠部材９０の枠左方部９７の前面は、上記上下方向に垂直な仮想面ＶＳ５に対して、傾斜角θ４（例えば５度）で右側が後方にかつ左側が前方に傾斜する仮想面ＶＳ７に沿う形で構成されている。即ち、上記プッシュボタンＳＢとランプ装置７７とは（図３参照）、互いに遊技者に向かうように傾斜しており、遊技者によりプッシュボタンＳＢが押下し易く、また、遊技者がランプ装置７７の発光表示を見易くなるように構成されている。
【００３５】
上記リール枠部材９０の枠右方部９６から表示窓５１（即ちリールパネル５３）までを繋ぐ右側板９１は、表示窓５１に対して垂直で前後方向に延びる仮想面ＶＳ１に対して、５度以上傾斜した傾斜角θ１（例えば１０度）で後側が左方にかつ前側が右方に傾斜する仮想面ＶＳ２に沿う形で構成されている。また、上記リール枠部材９０の枠左方部９７から表示窓５１までを繋ぐ左側板９２は、表示窓５１に対して垂直で前後方向に延びる仮想面ＶＳ３に対して、５度以上傾斜した傾斜角θ２（例えば１０度）で後側が右方にかつ前側が左方に傾斜する仮想面ＶＳ４に沿う形で構成されている。即ち、右側板９１及び左側板９２は、後方よりも前方が拡がるように構成されており、図４（Ａ）に示すように、表示窓５１に近接する後方開口部ＯＰ１の左右方向の幅Ｗ１よりも前方開口部ＯＰ２の左右方向の幅Ｗ２の方が大きくなるように構成されている。
【００３６】
また、図４（Ａ）に示すように、上記右側板９１は、表示窓５１に対して垂直で前後方向に延びる仮想面ＶＳ１に対して、前方開口部ＯＰ２を形成する部分を通る仮想線ＶＬ２（仮想面ＶＳ２内に位置する仮想線）が、下方が左側かつ上方が右側となるように傾斜した傾斜角θ５（例えば７度）で構成されている。さらに、上記左側板９２は、表示窓５１に対して垂直で前後方向に延びる仮想面ＶＳ３に対して、前方開口部ＯＰ２を形成する部分を通る仮想線ＶＬ４（仮想面ＶＳ４内に位置する仮想線）が、下方が右側かつ上方が左側となるように傾斜した傾斜角θ６（例えば７度）で構成されている。即ち、右側板９１及び左側板９２は、下方よりも上方が拡がるように構成されており、図４（Ａ）に示すように、前方開口部ＯＰ２の下方（上下方向の一方）の端部の幅Ｗ３よりも前方開口部ＯＰ２の上方（上下方向の他方）の端部の幅Ｗ４の方が大きくなるように構成されている。
【００３７】
以上説明したように、本実施形態に係るスロットマシン１のリール枠部材９０において、右側板９１及び左側板９２は、後方開口部ＯＰ１の左右方向の幅Ｗ１よりも前方開口部ＯＰ２の左右方向の幅Ｗ２の方が大きくなるように形成され、つまり前方に向けて拡がるように形成されているので、左右方向である横方向からの第１リールＲ１〜第３リールＲ３の視認性を向上することができる。要するに、例えば隣接するスロットマシンで遊技している遊技者や、遊技するスロットマシンを選んでいる遊技者に対しても、第１リールＲ１〜第３リールＲ３の視認性を向上することができる。また、前方に向けて拡がっていることで、表示窓５１に対する圧迫感が緩和され、当該スロットマシン１を遊技している遊技者の視認性も向上することができる。
【００３８】
また具体的に右側板９１及び左側板９２は、表示窓５１の上下方向において表示窓５１と直交する方向、即ち仮想面ＶＳ１，ＶＳ３に対して、左右方向へ５度以上（本実施形態では例えば１０度）傾斜していることで、横方向からの第１リールＲ１〜第３リールＲ３の視認性を向上することができる。なお、一般的にリール枠部材を金型によって成形する場合には、金型からの抜き勾配として１〜３度程度の傾斜を設けることがあるが、本スロットマシン１のリール枠部材９０における右側板９１及び左側板９２は、このような抜き勾配とは異なり、視認性の向上のために５度以上の角度で形成されるものである。即ち、抜き勾配だけでは、第１リールＲ１〜第３リールＲ３の視認性が良好ではないものと言える。
【００３９】
また、右側板９１及び左側板９２は、前方開口部ＯＰ２の下方の端部の幅Ｗ３よりも前方開口部ＯＰ２の上方の端部の幅Ｗ４の方が大きくなるように形成されているので、表示窓５１が傾斜しているために表示窓５１の上方が下方よりも後方で奥になるが、そのように表示窓５１に傾斜があっても横方向からの第１リールＲ１〜第３リールＲ３の視認性を向上することができる。従って、表示窓５１が遊技者の視線に対してなるべく直交するように傾斜されて視認性の向上が図られているものでありながら、横方向からの第１リールＲ１〜第３リールＲ３の視認性を向上することができる。さらに、右側板９１及び左側板９２が上方に向けて拡がっていることで、表示窓５１に対する圧迫感が緩和されるため、当該スロットマシン１を遊技している遊技者の視認性も向上することができる。
【００４０】
３．変形例
なお、以上説明した本実施形態に係るスロットマシン１においては、右側板９１と左側板９２とが平板（側面が平面）のものを説明したが、これに限らず、湾曲した曲面であったり、段差状に形成されていたり、さらには複雑な凹凸形状が施されていたりしてもよい。これらの平板ではない形状であった場合でも、表示窓５１（後方開口部ＯＰ１）に対して前方開口部ＯＰ２における左右方向の幅が大きくなるように形成されていれば、或いは前方開口部ＯＰ２の上下方向の一方の幅より他方の幅（遊技者の設計上の視点高さに近い方の幅）が大きくなるように形成されていれば、横方向からの視認性の向上を図ることができる。
【００４１】
また、本実施形態に係るスロットマシン１においては、表示装置５２の下方に表示窓５１（リールユニット３０）が配置されたものを説明したが、これに限らず、遊技者の設計上の視線高さにある表示装置５２の上方に表示窓（リールユニット）が配置されたものであってもよい。この場合は、リール枠部材の前方開口部の上方の端部の幅よりも下方の端部の幅の方が大きくなるように構成されていることが好ましく、また、表示窓（リールパネル）が下方に向けて傾斜して、つまり遊技者の視線に直交する方向に近づけて向くように構成されていることが好ましい。
【００４２】
また、本実施形態で説明した傾斜角については、全て一例であり、どのような角度であっても構わず、特に右側板及び左側板の角度は、リール枠部材の金型からの抜き勾配よりも明らかに大きな角度であれば、本発明の適用範囲である。
【００４３】
また、本実施形態に係るスロットマシン１においては、リール枠部材９０がランプ装置７７やプッシュボタンＳＢを覆うものについて説明したが、特にこれらの装置やボタンに限らず、役物や表示装置などであってもよく、つまりリール枠部材が覆うものは、どのようなものであってもよい。さらに、リール枠部材９０が表示窓５１の左右方向でランプ装置７７やプッシュボタンＳＢを覆うものについて説明したが、これらを覆う部品が別体であってもよく、つまりリール枠部材は単に表示窓を枠状に囲うものであれば、どのようなものであってもよい。
【００４４】
また、本実施形態に係るスロットマシン１においては、リール枠部材９０の後方開口部ＯＰ１の左右方向の端部、即ち右側板９１及び左側板９２の後方側の端部であって表示窓５１の左右方向の端部が、上下方向に垂直なものを説明したが、これに限らず、上下方向に対して傾斜していてもよく、つまり後方開口部ＯＰ１が台形（逆台形）に形成されていても構わない。この場合は、例えば右側板９１及び左側板９２が左右方向に拡がらず、かつ上下方向の一方が他方に対して拡がっている形状であっても構わない。
【００４５】
また、本実施形態に係るスロットマシン１においては、表示窓５１（リールパネル５３）が垂直方向に対して傾斜したものを説明したが、表示窓が垂直方向に設置されていても（つまり傾斜していなくても）構わない。この場合は、例えば右側板９１及び左側板９２が左右方向に拡がっていても、後方開口部ＯＰ１と前方開口部ＯＰ２とが平行であれば、前方開口部ＯＰ２において上下方向の一方の幅が他方の幅よりも大きくする必要はなく、つまり長方形となっていても構わない。
【００４６】
また、本実施形態に係るスロットマシン１においては、リール枠部材９０が上側板９３及び下側板９４を有するものについて説明したが、これら上下の側面は一方或いは両方を有していないものであっても構わない。即ち、例えば表示窓５１と表示装置５２とが連続的に繋がっていても構わない。
【符号の説明】
【００４７】
１…遊技機（スロットマシン）
５１…表示窓
９０…枠部材（リール枠部材）
９１…右側面（右側板）
９２…左側面（左側板）
ＯＰ２…開口（前方開口部）
Ｒ１…リール（第１リール）
Ｒ２…リール（第２リール）
Ｒ３…リール（第３リール）
Ｗ１…表示窓の左右方向の幅
Ｗ２…開口の左右方向の幅
Ｗ３…開口の上下方向の一方の幅
Ｗ４…開口の上下方向の他方の幅
【図１】
2019030438.tif 000003
【図２】
2019030438.tif 000004
【図３】
2019030438.tif 000005
【図４】
2019030438.tif 000006